(57)【要約】【課題】ＧＰＳ機能を搭載している携帯電話、スマートフオン、タブレット、車載ナビ、携帯ナビ等の携帯端末を使用して、最至近の設置箇所にあるＡＥＤ体外式除細動器を探索、検索、確保、使用して心停止事態発生に対処するためにＡＥＤの設置箇所位置の探索、検索、確保の情報環境を構築することが課題である。この心停止緊急ＡＥＤ探索ナビシステムの情報環境を構築することにより、ＡＥＤ設置箇所が心停止事態の発生地点の半径３キロメートル圏内であれば心停止発生時より、ＡＥＤ探索、検索、確保、使用に至るまでに費やす時間を５分以内とすることが課題である。【解決手段】心停止事態発生に対処する救命ワークにおいて、ＡＥＤの設置箇所の探索、検索、確保、そして、使用に至る情報環境を構築する。使用する携帯端末にはＧＰＳ対応機能を搭載した携帯電話、スマートフオン、タブレット、車載ナビ、携帯ナビ等を使用し、情報環境に対応した検索対応ＡＥＤ格納ボックスをもって情報環境を構築する。【選択図】図１
2016076090.tif 000002
【特許請求の範囲】
【請求項１】
ＡＥＤ機器の設置箇所の探索、検索、確保、使用の情報環境の構築に対応した通信端末マイクロコンピュータを具備し、その機能を維持動作させるための充電装置を具備した構造の検索対応ＡＥＤ格納ボックス。
【請求項２】
請求項１の検索対応ＡＥＤ格納ボックスを使用して、最至近ＡＥＤ設置箇所の探索、検索、確保して使用に至る心停止緊急ＡＥＤ探索ナビシステムの情報作業環境を構築してする行動、動作、作業の形態。
【発明の詳細な説明】
【技術分野】
【０００１】
この発明はＡＥＤ体外式除細動器の所在場所の探索の方法に関するものである。
【背景技術】
【０００２】
（図２参照）ＧＰＳを利用しての測位、ロケーション技術、地図の表示に関する画像及び音声合成技術、ルート探索技術、インターネット網を利用しての情報サービス、情報通信技術、高速ＣＰＵ，高速描画技術、ＨＤＤ，ＣＤ・ＤＶＤ−ＲＯＭ、半導体メモリによる地図データベース構築技術等が背景技術にある。
【発明の概要】
【発明が解決しようとする課題】
【０００３】
ＧＰＳ対応機能を搭載した携帯電話、スマートフオン、タブレット、車載ナビ、携帯ナビ等の携帯端末を使用して、最至近の設置箇所にあるＡＥＤ体外式除細動器を探索、検索、確保、使用して心停止事態発生に対処するため、ＡＥＤの設置箇所位置を探索、検索、確保の情報環境を構築することが課題である。この心停止緊急ＡＥＤ探索ナビシステムを構築することにより、ＡＥＤの設置箇所が心停止事態発生地点の半径3キロメートル圏内であれば、事態発生時よりＡＥＤ探索、検索、確保、使用に至るまでに費やす時間を5分以内とすることが目的である。
【課題を解決するための手段】
【０００４】
心停止事態発生に対処する救命ワークにおいて、ＡＥＤ体外式除細動器(以下ＡＥＤと記す)を探索、検索、確保、使用に至るまで一刻といえども時間を無駄にすることができない。
そのためのＡＥＤ設置箇所の探索、検索、確保、そして、使用に至る情報環境を構築する。情報端末は、ＧＰＳ対応機能を搭載した携帯電話、スマートフオン、タブレット、車載ナビ、携帯ナビ等を使用し、情報環境に対応した検索対応ＡＥＤ格納ボックスをもって情報環境を構築する。
【０００５】
ＡＥＤ探索ナビシステムの構築により、心停止事態発生地点の最至近の地点に設置されているＡＥＤの探索、検索、確保により心停止者の救命ワークに使用することが可能である。その手段は、検索対応ＡＥＤ格納ボックス使用によるＡＥＤ探索ナビシステムの情報環境の構築により目的が達成される。心停止時よりの限られた時間内におけるＡＥＤを使用してこそ心停止者の救命に力を尽くすことができる。情報環境に対応した検索対応ＡＥＤ格納ボックスの機能と構造について説明する。（図４参照）検索対応ＡＥＤ格納ボックスは、心停止緊急ＡＥＤ探索ナビシステムの情報環境の中で重要な役割を担っている。検索対応ＡＥＤ格納ボックスは、１、ＧＰＳ対応機能アンテナ及び情報、信号の受発信アンテナがセットされている。２、ＧＰＳに対して常時検索対応のＡＥＤ格納ボックスの設置箇所信号を発信している。３、検索対応ＡＥＤ格納ボックスには諸機能を作動制御する通信端末マイクロコンピュータを具備している。４、具備している通信端末マイクロコンピュータは、外部よりの情報、信号の受信により作動し諸機能を制御作動する。尚、発信も行う。５、ＡＥＤデータベース、データベース管理システム、ＡＥＤ管理サーバよりの情報、信号を受信し、また、格納しているＡＥＤ機器の状態情報信号を取得して外部関連機器に情報、信号の発信を行う。６、検索対応ＡＥＤ格納ボックスが具備している諸機能はＡＥＤ設置箇所であることを報せるＬＥＤ電灯の点灯、ＡＥＤ設置箇所であることを報せるボイスとメロデイーの発声吹鳴とＡＥＤ持ち出しによるその停止、時報ディスプレイには受信時刻、受信時よりの経過時分、ＡＥＤ持ち出しの時刻、ＡＥＤの使用に関して携帯端末を使用して通信した当事者の電話番号を所定の箇所に表示する。それらによって構成する検索対応ＡＥＤ格納ボックスの構造である。尚、検索対応ＡＥＤ格納ボックスの設置箇所の条件により電波受発信状態に不具合が予想される場合はＧＰＳ対応受発信アンテナ及び情報通信アンテナを検索対応ＡＥＤ格納ボックスの設置箇所より離れた建築物の電波受発信状態の良い箇所に設置する必然性がある。
【０００６】
検索対応ＡＥＤ格納ボックス使用心停止緊急ＡＥＤ探索ナビシステムの情報環境を使用しての行動、動作について説明する。この検索対応ＡＥＤ格納ボックスを使用しての心停止緊急ＡＥＤ探索ナビシステムの機器は無線ＬＡＮ電波にて作動動作している。この心停止緊急ＡＥＤ探索ナビシステムを構成している要素技術は（図２参照）ＧＰＳを利用しての測位ロケーション技術、地図表示に関する画像及び音声合成技術、ルート探索案内技術、インターネット網を利用しての情報サービス、情報通信技術、高速ＣＰＵ、高速描画技術、ＨＤＤ、ＣＤ・ＤＶＤ−ＲＯＭ、半導体メモリによる地図データベース構築技術等である。
【０００７】
この検索対応ＡＥＤ格納ボックス使用心停止緊急ＡＥＤ探索ナビシステムの基本的構成は（図３図５参照）ＧＰＳ衛星、ＧＰＳ送受信アンテナ、位置通報サーバ、位置情報ネットワークによる地図データ通信、ＡＥＤ管理サーバ、ＡＥＤ情報ネットワーク、通信端末マイクロコンピユータを装備した検索対応ＡＥＤ格納ボックス及びＧＰＳ対応受発信アンテナ、携帯電話網、外部機関の消防署、警察署で構成される。
【０００８】
技術及び諸機器をもって構成するこの検索対応ＡＥＤ格納ボックス使用心停止緊急ＡＥＤ探索ナビシステムの機能の概要について説明する。心停止事態発生に対応する当事者が使用する携帯端末は、ＧＰＳ対応機能を搭載している携帯電話、スマートフオン、タブレット、車載ナビ、携帯ナビ等であることが条件である。１、ＧＰＳと通信することにより心停止事態発生地点の測位位置の表示。２、最至近ＡＥＤ設置箇所の探索によるＡＥＤ設置箇所の表示。３、心停止事態発生地点からＡＥＤ設置箇所までに距離の表示。４、心停止事態発生地点からＡＥＤ設置箇所までの距離を分速１５０ｍの速歩による所要時間の計算算出数値の表示、３００メートル以上の場合については自動車等の機動力を使用しての所要時間の計算算出数値の表示とする。５、ＡＥＤ設置箇所へのルート表示とボイスサポートをして案内する。６、[１１９]アイコンタイルにタッチすることで消防署への緊急通報位置通知をする。同時に当事者の対応状態情報を通知する。現地到着時間等の消防署の対応が返答される。これらの機能を駆使して緊急を要する心停止事態発生に対応する。
【０００９】
検索対応ＡＥＤ格納ボックス使用心停止緊急ＡＥＤ探索ナビシステムの情報環境における心停止事態発生時の行動作業の流れについて説明する。（図１参照）１、心停止事態の発生。２、目撃者が走りくる。３、所持している携帯端末はＧＰＳ対応機能を搭載している。４、携帯端末を起動、[緊急]アイコンタイルにタッチ(確定しているアイコンタイル名称ではない)。５、ディスプレイの所定の箇所に時刻を表示する、作動開始時刻、経過時分が表示される。６、ＧＰＳ測位結果を受信しディスプレイに表示。７、画面の[ＡＥＤ]アイコンタイルにタッチ。８、最至近ＡＥＤ設置箇所の測位結果受信。９、[１１９]アイコンタイルにタッチ、消防署へは緊急通報位置通知によって事態情報、位置情報が発信される。同時に当事者の対応状態情報を通知する。消防署からは対応情報、救急車の到着時間等が発信されてくる。１０、心停止事態発生地点からＡＥＤ設置箇所までの距離の表示と分速１５０ｍの速歩による所要時間が計算算出されてディスプレイに表示される。１１、当該検索対応ＡＥＤ格納ボックスに具備している諸機能が作動動作している、ＡＥＤ管理者の在否、配送依頼の可否が告知される。１２、当事者が情報によって状態状況を判断して行動する。１３、ＡＥＤ設置箇所へ向けて携帯端末に表示されている最至近の検索対応ＡＥＤ格納ボックスへのルート案内を頼りにひた走る。１４、目標のＡＥＤ設置箇所では、ＡＥＤの設置箇所表示のＬＥＤ電灯の点灯、「ＡＥＤはここです」のボイス、メロデイーが発声吹鳴し、時間情報が表示されている。時間情報表示を見て、「今ならまだ間にあう」を確認、ＡＥＤを手に持って走り戻る。１５、場に着いて急いで救命ワークに取り掛かる。１６、救急車が到着する。以上が想定される行動作業の流れである。
【発明の効果】
【００１０】
この心停止緊急ＡＥＤ探索ナビシステムを構築することにより、ＡＥＤの設置箇所が心停止事態の発生地点の半径３キロメートル圏内であれば、事態発生時よりＡＥＤ探索、検索、確保、使用に至るまでに費やす時間を５分以内とすることが目的である。日本国における病院外において心停止で死に至る人の数が約６万人と言われている。この事態の予知や予防はままならず、頼みとする救急車の現場到着の平均時間は、約8分ぐらいである。２０１０年の統計例では、１年の間に目撃された心停止事態が約２２５００件、そのうち、ＡＥＤが使用されたのは３パーセントの約６７０件であり、残りの９７パーセント、２１８３０人の人はＡＥＤの恩恵にあずかれなかった状態である。心停止事態でＡＥＤを使用された６７０人の４５パーセントの方が救命されたといわれている。ＡＥＤの設置台数が少ないこともあるが、全般的に見て設置箇所の周知がされていないことである。ＡＥＤがどこにあるのか、これが知られていないのである。計画的、効果的にＡＥＤの設置箇所を知って、確保し、使用して、ＡＥＤを救命に役立てたい。これに関して、ＡＥＤ設置箇所を報せ、確保して使用する。その探索と検索、確保の情報環境の構築である。
近年、心停止のリスクが高くなろうとしている。心停止のリスクを持っている人が増えている。また、スポーツ等リスキーな機会が増えている等、ＡＥＤの使用事態も増えると考えられる。心停止事態に対するＡＥＤの使用による救命ワークの救命率は一般的に、２分以内の場合は８０％、３分以内の場合は７０％、４分以内の場合は６０％、５分以内の場合は５０％と想定されている。
この発明の心停止緊急ＡＥＤ探索ナビシステムの情報環境の構築によって、５分以内の心停止事態の救命圏が拡大する。
この心停止緊急ＡＥＤ探索ナビシステムの環境が構築された場合は、ＡＥＤの使用による救命ワークは、ＡＥＤ設置箇所への通報により、その場所にＡＥＤ管理者がいて心停止の現場にＡＥＤ持参、急行した場合には、半径１５０メートル圏内にあっては、分速１５０ｍの速歩で１分３０秒くらい。半径３００メートル圏内にあっては、分速１５０ｍの速歩で駆けつけたときは２分３０秒くらいで救命ワークを行える可能性がある。半径１キロメートル圏内にあっては、自動車等の機動力を駆使した場合には３〜４分くらいが想定され、２キロメートル圏内でも５分以内でＡＥＤ使用による救命ワークが可能であると想定される。前記の条件で救命ワークができない場合には、心停止者の同伴者または目撃者が救命ワークの当事者となる場合には、半径１５０メートル圏内にあっては、分速１５０ｍの速歩で２分３０秒。半径５００メートル圏内にあっては、自動車等の機動力を駆使した場合には３分余り。１キロメートル圏内にあっては、同じく自動車等の機動力を駆使して５分以内でＡＥＤを使用して救命ワークをすることが可能であると想定される。
【図面の簡単な説明】
【００１１】
【図１】心停止緊急ＡＥＤ探索ナビシステム行動作業流れ図
【図２】心停止緊急ＡＥＤ探索ナビシステム構成要素技術の図
【図３】心停止緊急ＡＥＤ探索ナビシステム基本構成図
【図４】検索対応ＡＥＤ格納ボックスの斜視図
【図５】検索対応ＡＥＤ格納ボックス関連構成機関機器通信経路図
【図６】検索対応ＡＥＤ格納ボックス作動流れ図
【図７】心停止事態発生とＡＥＤ格納ボックス設置箇所同無線基地局エリア内通信経路図
【図８】心停止事態発生とＡＥＤ格納ボックス設置箇所が異なる無線基地局エリア通信経路図
【図９】通信端末マイクロコンピュータ作動流れ図
【図１０】パトカー装備ＡＥＤ要請作業流れ想定図
【発明を実施するための形態】
【００１２】
住宅地においてその事態が発生した。一人歩きのやや高齢の市民に心停止事態が発生した。その住宅地内を二人の青年ＡとＢが歩いていた。その二人の前方２０メートルの地点で事態が発生した。「おい、行こう」二人は、胸を押さえて倒れた心停止者のところへ向かって走った。すでに経過時間は１０秒経っていた。Ａは所持しているスマートフオンを取り出し、起動させ、[緊急]アイコンタイルにタッチした。スマートフオンは作動した。事態発生地点の測位結果がディスプレイに表示された。次に表示されている、[ＡＥＤ]アイコンタイル、[１１９]アイコンタイルにもタッチした。[緊急]アイコンタイルにタッチしてからの経過時間が２０秒と表示されている。スマートフオンのディスプレイには最至近のＡＥＤ設置箇所地点が表示されている。Ｂは心停止者の胸部圧迫作業を懸命にしている。Ａはスマートフオンの画面を見る。心停止事態発生地点からＡＥＤ設置箇所地点までの地図が表示されている。ＡＥＤ設置箇所地点まで２００メートル。分速１５０メートルの速歩での計算算出された所要時間が表示されている、往路１分３０秒とある。また、ディスプレイには消防署からの対応情報が着信していた。救急車の到着予定時間が表示されている、受付時から４分とあった。ＡはＢに告げて、スマートフオンを握り、画面のルート案内を見ながらひた走った。表示時間より短い時間を目指して懸命に走った。そこは表通りにある交番であった。交番内のＡＥＤ格納ボックスの設置箇所を報せるＬＥＤ電灯は点灯し、「ＡＥＤはここだよ」の電子音声が発声し、メロデイーが吹鳴していた。ＡＥＤ格納ボックスの時報表示ディスプレイには情報到達時間、経過時分を表示している。彼はその表示を見た。経過時間は１分２０秒と表示していた。Ａは警官に事情を告げてＡＥＤを手に持った。警官はＡに自転車を使えと言ってくれた。所要時間短縮が可能である。彼はうれしかった。ＡＥＤをもって懸命にペダルを踏んだ。費やした時間は１分以内であった。Ｂは救命ワークの準備を整えてＡＥＤの到着を待っていた。ＡはＡＥＤを使えるようにして救命ワークに取り掛かった。Ａがこれに要した時間が３０秒くらいではないかと思った。その時、救急車のピーポーを耳にした。二人はこの時まで費やした時間をスマートフオンの表示時間で確かめた。経過時間は３分５０秒であった。スマートフオンの[緊急]アイコンタイルにタッチして３分５０秒で救命ワークを開始したことになる。救急車も手配して４分くらいで到着してくれたことになる。心停止者は蘇生した。二人は安堵の胸をなでおろした。二人の青年は後事を救急車に託してその場から引き揚げた。心停止者の発見から、その人のもとに１０秒、[緊急]アイコンタイルにタッチ、[１１９]アイコンタイルにタッチ、ＡＥＤ所在箇所表示までには４０秒、ＡＥＤを手にするまでに１分２０秒、復路自転車で６０秒、到着して救命ワークまでに３０秒、ロスした時間を２０秒とすればトータルタイムは４分ということになる。
【００１３】
検索対応ＡＥＤ格納ボックスについて説明する。（図４図５参照）検索対応ＡＥＤ格納ボックスは、１、ボックス本体。２、ＧＰＳ対応機能アンテナ及び情報受発信アンテナがセットされている。３、ＧＰＳに対して常時検索対応のＡＥＤ格納ボックスの設置箇所信号を発信している。４、検索対応ＡＥＤ格納ボックスに諸機能を制御作動する通信端末マイクロコンピュータを具備している。５、具備している通信端末マイクロコンピュータは外部よりの情報、信号の受信により作動、諸機能を制御する。尚、発信も行う。６、ＡＥＤ情報ネットワークよりの情報、信号を受信、取得し、また、格納しているＡＥＤの状態情報、信号を取得して外部関連機関に情報、信号の発信を行う。７、検索対応ＡＥＤ格納ボックスが具備している機能は、ＡＥＤ設置箇所であることを報せるＬＥＤ電灯の点灯、ＡＥＤ設置箇所であることを報せるボイスとメロデイーの発声吹鳴とＡＥＤ持ち出しによるその停止、時報ディスプレイには受信時刻、受信時よりの経過時分、ＡＥＤ持ち出しの時間、ＡＥＤの使用に関して携帯端末を使用して通信した当事者の携帯端末の電話番号をディスプレイの所定の箇所に表示する。それらによって構成する検索対応ＡＥＤ格納ボックスの構造である。
【００１４】
心停止緊急ＡＥＤ探索ナビシステムに使用する検索対応ＡＥＤ格納ボックスは通信端末マイクロコンピュータを具備している。通信端末マイクロコンピュータに組み込まれているプログラムの制御作動指示により検索対応ＡＥＤ格納ボックスが具備している諸装置、諸機能を作動させる。１、搭載しているＧＰＳ機能にてＧＰＳと交信をする。２、通信端末部には携帯端末と同等の端末電話番号が付与されている。３、心停止緊急ＡＥＤ探索ナビシステムが構成している諸機構、諸機器とプログラムに基づいて交信する。４、時計、及び計時機能を有している。５、電源は電池である。６、情報、信号を受けて、通信端末マイクロコンピュータはプログラムの指示に基づいて制御作動する。イ、ディスプレイに使用該当ＡＥＤであることの信号の受信時間を表示する。ロ、受信時間よりＡＥＤ持ち出しに至るまでの経過時分を表示する。ハ、ＡＥＤ持ち出しの時間を表示する。ニ、通報者の電話番号を表示する。ホ、所在報知ＬＥＤ電灯の点灯をする。ヘ、所在報知ボイスメロデイーの発声吹鳴をする。ト、受信時間、経過時分、持ち出し時間、通報者電話番号をＡＥＤ持ち出し時より１０分間表示して消去する。チ、ＡＥＤ持ち出しと同時に所在報知ＬＥＤ電灯の消灯、ボイスメロデイーの発声吹鳴の停止をする。リ、ＡＥＤ機器の電池容量等の状態情報の送信をする。ヌ、マイクロコンピュータのプログラムの指示によりＡＥＤ機器のバッテリー、通信端末マイクロコンピュータ、ＡＥＤ格納ボックスの装置の電池容量情報を取得して充電器を作動させる。等である。
【００１５】
ＡＥＤ機器、通信端末マイクロコンピュータ、検索対応ＡＥＤ格納ボックスの諸装置の電源に電池を使用するのは、停電時に備えてである。検索対応ＡＥＤ格納ボックスには、ＡＣ電源が接続されている。通信端末マイクロコンピュータの電源電池、検索対応ＡＥＤ格納ボックスの各装置を作動させる電源電池、ＡＥＤ機器のバッテリーに対して充電器を具備しており、電池容量を常に最適の状態に保持している。通信端末マイクロコンピュータは、これらの電池の容量状態情報を取得して制御作動をしている。
【００１６】
検索対応ＡＥＤ格納ボックスは,(図５参照)ＧＰＳ衛星、無線基地局、無線ネットワーク制御装置、各種交換機、ゲートウエイ、ＡＥＤ管理サーバ、ＡＥＤデータベース管理システム、ＡＥＤデータベース、携帯電話網等諸機と交信して機能する心停止緊急ＡＥＤ探索ナビシステムの情報環境構築の機器である。
【００１７】
検索対応ＡＥＤ格納ボックスは、具備している通信端末マイクロコンピュータに組み込まれたプログラムの指示、命令に基づき制御作動している。信号、情報の受信から始まり、１、ＧＰＳ、検索対応ＡＥＤ格納ボックス間の交信を行う。２、具備している諸装置を制御、作動、機能させる。３、救命ワーク対応当事者との交信を行う。
【００１８】
検索対応ＡＥＤ格納ボックスの作動の流れは（図６参照）心停止事態発生、目撃者の救命対応、当事者の携帯端末の発信による使用該当ＡＥＤであることの信号受信から始まる。当該検索対応ＡＥＤ格納ボックスの具備している通信端末マイクロコンピュータは携帯電話端末と同等の機能を有しており、音声通話、データメール交信は出来ないものの、記憶保有データの送信は可としている。通信端末マイクロコンピュータのプログラムの指示に基づき外部との交信に対応する。外部から信号情報を受けて検索対応ＡＥＤ格納ボックスが具備している装置を制御作動する。また、格納しているＡＥＤ機器の状態情報を発信する。検索対応ＡＥＤ格納ボックスの具備している通信端末マイクロコンピュータは、ＧＰＳ、外部の関連機器に対応して常時電波を発信している。心停止事態発生、救命ワーク当事者の所在位置と検索対応ＡＥＤ格納ボックスの所在位置は同じ無線基地局がカバーするエリア内か隣接無線基地局のカバーするエリアであることが想定される。具備している通信端末マイクロコンピュータは電池で動作しており、電池は検索対応ＡＥＤ格納ボックスが具備する充電器と接続または接しており、通信端末マイクロコンピュータの制御作動によって自動的に充電される。そのために外部よりＡＣ電源がＡＥＤ格納ボックスに接続されている。停電時であっても検索対応ＡＥＤ格納ボックスの具備している通信端末マイクロコンピュータ及び装置は正常に動作し停止することはない。ＡＥＤ機器のバッテリーに対しても有線接続方法、接点接続手段、非接触充電装置を用いて充電する装置を具備している。これらの電池、バッテリーの電池容量に関する管理、制御を通信端末マイクロコンピュータが担っている。検索対応ＡＥＤ格納ボックスは、通信端末マイクロコンピュータのプログラムによる指示に基づき具備している装置、機器、機能が制御、作動、動作する構成構造である。
【００１９】
検索対応ＡＥＤ格納ボックスの具備している通信端末マイクロコンピュータの指示命令に基づく作動制御の流れの概要を説明する。(図６参照)  心停止事態の発生、目撃者の救命対応、携帯端末の発信による使用該当ＡＥＤであることの信号受信から始まる。１、検索対応ＡＥＤ格納ボックスに具備している通信端末マイクロコンピュータの作動により信号を発信する。２、諸機構、ＡＥＤ管理サーバ、ＡＥＤデータベース管理システムと交信。３、ＯＫ信号とともにＡＥＤ機器の状態情報を救命ワーク当事者宛に発信する。４、検索対応ＡＥＤ格納ボックスとＧＰＳ衛星が交信。検索対応ＡＥＤ格納ボックスが具備する通信端末マイクロコンピュータの制御、作動指示に基づき検索対応ＡＥＤ格納ボックスの各装置が作動動作する。イ、着信受付時間、経過時分、通報者の携帯端末番号をディスプレイに表示。ロ、所在報知ＬＥＤ電灯の点灯、ボイスメロデイーの発声吹鳴。ハ、ＡＥＤ機器状態情報の発信。ニ、ＡＥＤ機器の持ち出しを感知して、ＡＥＤ持ち出し時間の表示。ホ、ＡＥＤ持ち出しで報知電灯の消灯、ボイスメロデイー発声吹鳴の停止。ヘ、ＡＥＤ持ち出しの１０分後にディスプレイの表示を消去する。これらが検索対応ＡＥＤ格納ボックスが具備している通信端末マイクロコンピュータのプログラムの制御、作動指示により機能する。
【００２０】
検索対応ＡＥＤ格納ボックスに具備されている通信端末マイクロコンピュータは、通信端末部とマイクロコンピュータ部で構成されている。通信端末部及びマイクロコンピュータ部はマイクロコンピュータに組み込まれているプログラムの指示命令によって制御作動している。通信端末部、マイクロコンピュータ部はそれぞれ電池で動作している。通信端末部はマイクロコンピュータの入力機構であり、出力機構でもある。この通信端末は、１、ＧＰＳ対応機能を搭載している。２、ＧＰＳに対応して電波を受発信している。３、ＧＰＳから時刻情報を受信している。受信した時刻情報をマイクロコンピュータの作動によりディスプレイに表示している。
【００２１】
通信端末部が通報者及びＡＥＤ機構から当該、該当ＡＥＤ機器であることの信号を受信してマイクロコンピュータ部に入力する。入力を受けて、マイクロコンピュータ部のプログラムの指示により、１、ＡＥＤ機器の状態情報及び使用可のＯＫ信号を通信端末部より通報者の携帯端末に発信する。２、着信受付時刻をディスプレイに表示。３、受付時よりの経過時分をディスプレイに表示。４、所在報知電灯の点灯、ボイス、メロデイーの発声吹鳴を並列指示。５、ＡＥＤ持ち出し時刻をディスプレイに表示。６、所在報知電灯の消灯、ボイス、メロデイーの発声吹鳴の停止を並列指示。７、ＡＥＤ持ち出し時より１０分後ディスプレイの表示を消去。８、通信端末部、マイクロコンピュータ部、ＡＥＤ機器よりバッテリー、電池の容量状態情報を受け具備している充電器を作動させて充電をする。
【００２２】
図７図８は、心停止事態の発生地点と救命ワークを担当する者の携帯端末と検索対応ＡＥＤ格納ボックス設置箇所が同無線基地局エリア内であることが多いと想定される。しかし、大きなビル、大きな地下街等では、同建造物内に複数の無線基地局が存在する。それらの場合における心停止事態発生の救命ワーク対応担当者の携帯端末と検索対応ＡＥＤ格納ボックスの通信端末マイクロコンピュータの通信経路図である。
【実施例】
【００２３】
検索対応ＡＥＤ格納ボックス内に格納されているＡＥＤのバッテリーの電池容量の使用可否の状態情報信号を取得して、通信端末マイクロコンピュータは当事者の携帯端末だけに限らず、外部関連機関に情報信号を発信することを可としている。
【００２４】
検索対応ＡＥＤ格納ボックスの設置箇所の所在に関する地図表示は、１、３００ｍ圏内。２、５００ｍ圏内。３、１ｋｍ圏内。４、３ｋｍ圏内。５、救命ワーク５分以内開始圏内にＡＥＤの設置箇所なし。６、救急車の到着待機。等の探索結果が画面に表示される。
【００２５】
例えて説明すれば、３００ｍ圏内に３か所表示された場合においては、「ＡＥＤ設置箇所が３箇所、目標点にタッチしてください」のコメントが表示されて、指示したＡＥＤ設置箇所までの距離及び往路の所要時間が表示される。タッチで該当ＡＥＤに向けて信号が発信され、受信した検索対応ＡＥＤ格納ボックスの諸機能が作動する。尚、ＡＥＤ管理者の在否、配送の可否が心停止事態発生対応当事者の携帯端末のディスプレイに表示される。
【００２６】
ＡＥＤの設置箇所が３００ｍ以上の場合においては、速歩での５分以内救命ワーク対応が可能領域ではなくなる。自動車等の機動力で対応しなければ５分以内救命ワーク対応ができない。ＡＥＤ設置箇所に管理者がいて、配送可能といった条件であった場合にのみ３ｋｍ圏内であれば５分以内救命ワーク対応が実現できる。救命ワーク当事者が自動車、機動力を使用してＡＥＤの確保に向かい救命ワークに対応する場合は、ＡＥＤ設置箇所が１ｋｍ位が５分以内救命ワーク対応圏内である。救命ワーク対応自動車の時速が３０ｋｍ〜４０ｋｍを想定しての対応圏内である。
【００２７】
緊急通報位置通知を[１１９]アイコンタイルタッチで発信する時点の現場状況を通知する配慮をもする。心停止事態発生地点における当事者の対応状態情報を次の項目番号アイコンタイルにタッチして発信する。１、私が一人で現場を離れられない。２、３００ｍ圏内のＡＥＤ検索、同伴者が対応。３、５００ｍ圏内のＡＥＤ検索、管理者に配送を依頼。４、５００ｍ圏内のＡＥＤ検索、同伴者が車で対応。５、３ｋｍ圏内のＡＥＤ検索、私一人で対応不可。等の情報を発信することも可能と想定する。
【００２８】
現在は、パトロールカーにはＡＥＤ機器が装備されてはいない。ＡＥＤ機器が装備されるのは、遠くない日であると確信している。（図１０参照）パトロールカーにＡＥＤ機器が車載装備された場合の心停止事態に対応する当事者の行動作業の流れは、心停止事態発生に始まり、１１０ＡＥＤ＞アイコンタイルにタッチしての発信、警察無線指令台が受信、そして、指令発令、パトロールカーの現場への急行、到着、救命ワークと緊急に対応されることが考えられる次第である。１１０ＡＥＤ＞アイコンタイルの語句はこの発明都合で書き記している語句である。
【００２９】
心停止事態が発生して緊急やむを得ない場合に、これよりほかに方法がないといった場合に限っての救命ワーク行動として、最適とはいえないが、心停止者を車載してＡＥＤの設置箇所へ搬送して救命ワークを行う場合は、３ｋｍ圏内が５分以内の救命ワーク開始が可能と想定される。
【符号の説明】
【００３０】
１  ＧＰＳ
２  画像、音声合成、認識
３  インターネット網
４  携帯端末
５  ＨＤＤ、ＣＤ−ＲＯＭ、ＤＶＤ−ＲＯＭ、半導体メモリ等
６  情報通信技術
７  地図データベース
８  ロケーション技術
９  ルート探索、案内技術
１０  高速ＣＰＵ、高速描画技術
１２  各種サーバ、データベース管理システム、データベース
１３  検索対応ＡＥＤ格納ボックス
１４  外部機関  消防署、警察署
１５  無線基地局、ノードビル、中継交換機、ホームメモリー、ゲートウエイ等
２１  時報表示ディスプレイ
２２  ＡＥＤ所在報知ＬＥＤ電灯
２３  スピーカー部
２４  ＡＥＤ格納ボックスの扉
２５  ＧＰＳ対応及び情報受発信アンテナ
２６  通信端末マイクロコンピュータ
３１  検索対応ＡＥＤ格納ボックス
３２  無線基地局
３３  無線ネットワーク制御装置
３４  加入者交換機
３５  中継交換機
３６  ホームメモリー
３７  ゲートウエイ
３８  ＡＥＤ管理サーバ
３９  ＡＥＤデータベース管理システムＤＢＭＳ
４０  ＡＥＤデータベース
４１  関門交換機
４２  他の携帯電話事業者携帯電話網
５１  通信端末マイクロコンピュータの通信端末部
５２  ＡＥＤ機器バッテリー、ＡＥＤ格納ボックス、通信端末部、マイクロコンピュータ部の電池容量情報発信部
５３  マイクロコンピュータ部
５４  充電器
【図１】
2016076090.tif 000003
【図２】
2016076090.tif 000004
【図３】
2016076090.tif 000005
【図４】
2016076090.tif 000006
【図５】
2016076090.tif 000007
【図６】
2016076090.tif 000008
【図７】
2016076090.tif 000009
【図８】
2016076090.tif 000010
【図９】
2016076090.tif 000011
【図１０】
2016076090.tif 000012